(57)【要約】  メッシュシート（１３）とメッシュシートの両面に接合されて構造上の剛性を提供する２つの膜（１５、２５）とを備えた複合シロアリバリア（１０）。図示する構成では、メッシュシート（１３）は織ワイヤメッシュであり、協働してメッシュに開口部１９を画定するストランド１７を備えている。メッシュシート（１３）は、能動シロアリバリアとして機能し、すなわち、シロアリの通過を排除するように構成されており、膜（１５、２５）は、それ以上シロアリに有効なバリアを提供しない程度までシートが歪まないように、シートに対して支持を提供する。【選択図】図５
2013541651.tif 000002
【特許請求の範囲】
【請求項１】
標的害虫が通過しないように適合されたメッシュシート材と、１つまたは複数のメッシュ開口部のサイズまたは形態を変化させて標的害虫がメッシュを通過するのを許容し得るような前記メッシュの歪みに抵抗するために前記メッシュシート材に結合された手段とを具備することを特徴とする複合害虫バリア。
【請求項２】
請求項１に記載の複合害虫バリアにおいて、前記メッシュシート材が織メッシュを含み、前記歪みが、隣接する前記メッシュ開口部のサイズまたは形態を変化させる、縦ストランドと横ストランドとの間のそれらの間の交差箇所における変位を含むことを特徴とする複合害虫バリア。
【請求項３】
請求項２に記載の複合害虫バリアにおいて、前記メッシュの歪みに抵抗するために前記メッシュシート材に結合された前記手段が、前記縦ストランドおよび前記横ストランドを、それらの間の交差箇所において互いに対して変位しないように制約するように適合されていることを特徴とする複合害虫バリア。
【請求項４】
請求項１、２または３に記載の複合害虫バリアにおいて、前記メッシュの歪みに抵抗するために前記メッシュシート材に結合された前記手段が、補強構造体を備えていることを特徴とする複合害虫バリア。
【請求項５】
請求項４に記載の複合害虫バリアにおいて、前記補強構造体が単体構造であることを特徴とする複合害虫バリア。
【請求項６】
請求項４に記載の複合害虫バリアにおいて、前記補強構造体が分割構造であることを特徴とする複合害虫バリア。
【請求項７】
請求項４、５または６に記載の複合害虫バリアにおいて、前記補強構造体が、前記メッシュシート材に取り付けられて前記メッシュシート材に対する補強を提供する膜を含むことを特徴とする複合害虫バリア。
【請求項８】
請求項７に記載の複合害虫バリアにおいて、前記膜が連続フィルムを含むことを特徴とする複合害虫バリア。
【請求項９】
請求項８に記載の複合害虫バリアにおいて、前記膜がプラスチックシート材を含むことを特徴とする複合害虫バリア。
【請求項１０】
請求項４〜８のいずれか一項に記載の複合害虫バリアにおいて、前記補強構造体が２つの前記膜を含み、前記メッシュシート材の各面に１つが付与されていることを特徴とする複合害虫バリア。
【請求項１１】
請求項１０に記載の複合害虫バリアにおいて、前記２つの膜が同じ材料から構成されていることを特徴とする複合害虫バリア。
【請求項１２】
請求項１〜１１のいずれか一項に記載の複合害虫バリアにおいて、前記または各膜が前記メッシュシート材に接合されていることを特徴とする複合害虫バリア。
【請求項１３】
請求項４または６に記載の複合害虫バリアにおいて、前記補強構造体が、必要な補強を提供するようなパターンで前記メッシュシート材に取り付けられた複数の切片を含むことができることを特徴とする複合害虫バリア。
【請求項１４】
請求項２または３に記載の複合害虫バリアにおいて、前記メッシュの歪みに抵抗するために前記メッシュシート材に結合された前記手段が、前記縦ストランドと前記横ストランドとの間のそれらの間の交差箇所に係留手段を備えていることを特徴とする複合害虫バリア。
【請求項１５】
請求項２または３に記載の複合害虫バリアにおいて、前記メッシュの歪みに抵抗するために前記メッシュシート材に結合された前記手段が、前記縦ストランドおよび前記横ストランドをそれらの間の交差箇所において合わせて係留するように、前記織メッシュに付与されたコーティングを含むことを特徴とする複合害虫バリア。
【請求項１６】
害虫が通過しないように適合されたメッシュシート材と、前記メッシュシート材に補強を提供するように前記メッシュシート材に取り付けられた膜とを具備することを特徴とする複合害虫バリア。
【請求項１７】
請求項１６に記載の複合害虫バリアにおいて、さらなる膜を具備し、前記２つの膜が前記メッシュシート材の両面に配置されていることを特徴とする複合害虫バリア。
【請求項１８】
請求項１７に記載の複合害虫バリアにおいて、前記２つの膜が前記メッシュシート材を覆うことを特徴とする複合害虫バリア。
【請求項１９】
請求項１６、１７または１８に記載の複合害虫バリアにおいて、前記または各膜が、前記メッシュシート材の範囲内に配置され、それにより、前記メッシュシート材の少なくとも片面に沿ってメッシュのバンドがあることを特徴とする複合害虫バリア。
【請求項２０】
害虫バリア材料のロールにおいて、前記害虫バリア材料が、害虫が通過しないように適合されたメッシュシート材と、前記メッシュシート材に補強を提供するように前記メッシュシート材に取り付けられた膜とを備えることを特徴とする、ロール。
【請求項２１】
建築構造物に設置される害虫バリアシステムにおいて、請求項１〜２０のいずれか一項に記載の複合害虫バリアを具備することを特徴とする害虫バリアシステム。
【請求項２２】
請求項２１に記載の害虫バリアシステムにおいて、前記複合害虫バリアが、前記建築構造物の一部に、前記膜と前記建築構造物の前記一部との間に接合を提供する接着剤によって一体的に取り付けられることを特徴とする害虫バリアシステム。
【請求項２３】
建築構造物に害虫バリアを設置する方法において、害虫が通過しないように適合されたメッシュシート材と前記メッシュシート材に補強を提供するように前記メッシュシート材に取り付けられた膜とを備える害虫バリア材料の一部を提供するステップと、前記膜と前記建築構造物の一部との間に接着接合を確立するステップとを含むことを特徴とする方法。
【請求項２４】
添付図面を参照して本明細書に実質的に記載されている複合シロアリバリア。
【請求項２５】
添付図面を参照して本明細書に実質的に記載されているシロアリバリアシステム。
【請求項２６】
本明細書に実質的に記載されている害虫バリアを設置する方法。
【発明の詳細な説明】
【技術分野】
【０００１】
本発明は害虫駆除に関し、より詳細には複合害虫バリアに、ならびに建築物および他の構造物をそうした害虫から保護することに関する。
【０００２】
本発明による害虫バリアは、特にシロアリバリアとして考案されたものであるが、他の害虫、特にクモ、およびアリ等の昆虫を含む這う害虫用のバリアとして機能することも可能である。
【背景技術】
【０００３】
以下の背景技術の考察は、単に本発明の理解を容易にすることを意図している。この考察は、言及する材料のうちのいずれも、本出願の優先日の時点での共通の一般常識の一部であるかまたは一部であったということを了承かつ承認するものではない。
【０００４】
シロアリが建築物およびその他構造物へ侵入するのを防止または抑制するバリアに対してさまざまな提案がなされている。通常、こうしたバリアは、化学的バリアまたは物理的バリアのいずれかを含む。
【０００５】
化学的バリアは、長年使用されてきたが、最近では、化学的バリアを確立するためにいくつかの化学物質を使用することから健康上の問題が発生するため、物理的バリアが好まれる傾向になってきた。特に、この問題は、化学的バリアを確立する目的で、通常、長時間保護を可能にするために十分な用量の殺虫剤を注ぎ込むか、噴霧するかまたは噴射することにより、化学物質が供給される方法に関連する。
【０００６】
化学的バリアの確立における化学物質の供給に関する問題に対処することを鑑みると、化学物質が膜または適所に置かれる他の構成の中に組み込まれ、それにより、化学物質を噴霧し、注ぎ込み、または噴射する必要がなくなることが提案されてきた。これらは物理化学的バリアを呼ばれることがある。
【０００７】
物理的バリアは、ワイヤメッシュおよび粒度調整砕石（ｇｒａｄｅｄ  ｓｔｏｎｅ）を含むさまざまな形態をとることができる。ステンレス鋼ワイヤメッシュバリアが特に有効であることが証明されており、したがって、あらゆる改良が熱心に求められている。
【０００８】
ステンレス鋼は金融市場によって取引される商品であるため、より効率的利用ステンレス鋼メッシュ材料に基づく改良が望ましい。
【０００９】
通常、ステンレス鋼シロアリバリアは、０．７ｍｍ未満の間隔でのおよそ０．１８ｍｍの直径のワイヤストランドを有する織（ｗｏｖｅｎ）ワイヤメッシュを備え、上記間隔は、メッシュが駆除されるべきタイプのシロアリを排除するのに十分なメッシュ開口サイズを提供するのに適していると考えられる。
【００１０】
バリアとしてメッシュ機能の効率的な使用を最大限にすることに鑑みると、メッシュに採用されるステンレス鋼の量を低減することが望ましい。これを、いくつかの方法によって達成することができ、１つの方法はストランドの直径を縮小することであり、別の方法はストランド間の間隔を増大させることである。別法として、またはさらに、メッシュに対して、ステンレス鋼以外のワイヤ材料を使用する場合もある。こうした場合、ワイヤ材料は金属ワイヤである必要はなく、プラスチック材料を含むあらゆる他の１つまたは複数の材料から作製することができる。
【００１１】
ストランドの直径を縮小することおよび／またはストランド間の間隔を増大させること等により、メッシュに採用されるステンレス鋼の量を低減する結果、メッシュの平面における歪みに対する耐性に関して粗悪なメッシュとなる可能性があり、すなわち、メッシュは、「だらりと垂れる（ｆｌｏｐｐｙ）」か、または「スリージィネス（平面内の縦横の歪み：ｓｌｅａｚｉｎｅｓｓ）」がある可能性がある（後者の用語は、メッシュシロアリバリアの分野に従事している一定の人々により、メッシュの特性について説明するために使用される）。スリージィネスという特性は、メッシュシートが平面に配置され、かつ両手を、メッシュの上で横に並べて間隔を空けた関係で配置し、平行であるが反対の方向に移動させる場合に明白である。メッシュの平面における結果としての歪みにより、メッシュ開口部が許容できない程度まで増大することになる可能性がある。特に、メッシュの平面におけるメッシュの歪みにより、駆除すべきタイプのシロアリをそれ以上排除しない程度まで、メッシュのメッシュ開口部がサイズまたは形態を変化させる可能性がある。
【００１２】
ステンレス鋼メッシュの使用における別の改良は、有効なシロアリバリアを提供するために設置すべき方法に関する。通常、メッシュは、構造体、たとえばコンクリートスラブ、壁または構造体の他の構成要素等に一体的に固定される。バリアのいくつかの用途では、メッシュは、「漆喰（ｐａｒｇｅ）」として知られる所定のセメント質接着組成物を使用する接着によって一体的に固定される。シロアリバリアで使用するのに適している目下一般に入手可能な接着剤を使用することが有利である。これは、噴霧で塗布することを可能にするこうした接着剤の場合に特に当てはまる。しかしながら、ステンレス鋼メッシュは、シロアリバリアで使用するのに適しておりかつ噴霧によって塗布することができる、一般に入手可能な接着剤との使用が可能であるとは限らないことが分かった。
【００１３】
この背景ならびにそれに関連する問題および難題に対して、本発明は開発された。
【発明の概要】
【００１４】
本発明の第１態様によれば、標的害虫が通過しないように適合されたメッシュシート材と、１つまたは複数のメッシュ開口部のサイズまたは形態を変化させて標的害虫がメッシュを通過するのを許容し得るようなメッシュの歪みに抵抗するためにメッシュシート材に結合された手段とを備える複合害虫バリアが提供される。
【００１５】
害虫バリアがシロアリバリアとして意図されている場合、標的害虫は、シロアリバリアによって駆除されるように意図されているシロアリの種からのシロアリを含む。
【００１６】
概して、メッシュは、シロアリの頭部が通過しないように寸法が決められたサイズのメッシュ開口部を備えている。特に、開口部は、あらゆる方向における長さ寸法が、駆除されるべきシロアリの種の頭部の断面の最大長さ寸法より小さい。
【００１７】
メッシュシート材は、あらゆる適切な形態であり得る。メッシュシート材は好ましくは織メッシュであるが、好都合には、シート材料の形成の後に穿孔が形成されるシート材を含むことも可能である。
【００１８】
好ましくは、メッシュシート材は、使用環境における破損に対して耐性があり、シロアリ分泌物に対して実質的に耐性があり、かつシロアリの噛砕きに対しても実質的に耐性がある材料から形成される。こうした材料は、好ましくは、硬さが少なくともショアＤ６０、より好ましくは少なくともショアＤ７０、いくつかの用途では望ましくは少なくともショアＤ８０である。
【００１９】
メッシュシート材は、好ましくは、上述したように織メッシュである。織メッシュは、何らかの適切なタイプの織り方で縦ストランドおよび横ストランドを有することができる。
【００２０】
メッシュシート材が織メッシュを含む場合、歪みは、隣接するメッシュ開口部のサイズまたは形態を変化させる、縦ストランドと横ストランドとの間のそれらの交差箇所における変位を含む可能性がある。
【００２１】
好ましくは、上述したようなメッシュの歪みに抵抗するためにメッシュシート材に結合された前記手段は、縦ストランドおよび横ストランドを、それらの間の交差箇所において互いに対して変位しないように制約するように適合されている。変位に対する制約により、駆除されるべきタイプのシロアリをそれ以上排除することができないようにそれぞれのメッシュ開口部のサイズが増大する程度まで、隣接するストランドが横方向にシフトするのが防止される。制約は、縦ストランドおよび横ストランドが、それらの間の交差箇所において互いに対する変位に対して固定されるといったものであり得る。別法として、制約は、幾分かの横方向の変位が発生する可能性があるが、駆除されるべきタイプのシロアリの排除に対して好ましくない程度ではないといったものであり得る。さらに、制約により、縦ストランドと横ストランドとの間のそれらの交差箇所における幾分かの角度移動を可能にすることができる。
【００２２】
好ましくは、上述したようなメッシュの歪みに抵抗するためにメッシュシート材に結合された前記手段は、補強構造体を備えることができる。
【００２３】
補強構造体は、単体構造であるかまたは分割構造であり得る。分割構造である場合、補強構造体は、必要な補強を提供するように協働するように適合された複数の部品を含むことができる。
【００２４】
補強構造体は、メッシュシート材に対する補強を提供するようにメッシュシート材に取り付けられた膜を含むことができる。こうした構成では、補強構造体は、膜が単一部片であるという点で単体構造である。
【００２５】
膜は、連続フィルムを含むことができる。別法として、膜を不連続とすることができ、たとえば、膜は、穿孔または他の開口部を有することができる。これに関して、膜はメッシュであり得る。
【００２６】
別の構成では、補強構造体は、必要な補強を提供するパターンでメッシュシート材に取り付けられた複数の切片を含むことができる。切片を、ストリップ等の適切な構造とすることができ、上に重なる関係で配置することができる。こうした構成では、補強構造体は分割構造である。
【００２７】
補強構造体は、メッシュの両面に配置された２つの膜を含むことができる。
【００２８】
別の構成では、上述したようなメッシュの歪みに抵抗するためにメッシュシート材に結合された前記手段は、縦ストランドと横ストランドとの間のそれらの間の交差箇所に係留手段を備えることができる。係留手段は、縦ストランドと横ストランドとの間のそれらの間の交差箇所において、化学的接合または機械的接合等の接合を含むことができる。
【００２９】
さらに別の構成では、上述したようなメッシュの歪みに抵抗するためにメッシュシート材に結合された前記手段は、縦ストランドおよび横ストランドをそれらの間の後者箇所において合わせて係留するように、織メッシュに付与されたコーティングを含むことができる。コーティングを、たとえば粉末コーティング、塗装または溶融めっき等のあらゆる適切な方法で施すことができる。
【００３０】
メッシュシート材を、たとえば金属、プラスチック材料、布材料またはそれらの組合せ等のあらゆる適切な１つまたは複数の材料から形成することができる。
【００３１】
メッシュシート材が織メッシュを含む場合、織ストランドは、（円形断面のワイヤである）ラウンドワイヤを含むことができる。特に（平坦な両面を有し、丸い縁によって相互接続されるワイヤである）フラットワイヤを含む、他の断面形態のワイヤを使用することができる。フラットワイヤは、平坦な両面の間の断面輪郭が縮小し、そのため適切に向けられた時にメッシュ細孔サイズを大きくするのを容易にするという点で有利である。
【００３２】
膜は、プラスチックシート材を含むことができる。膜に対して好適な材料は、ポリエチレンを含むことができる。当然ながら、ＰＶＣ、ポリプロピレンおよびポリアミドを含む他の適切な材料を使用することも可能である。
【００３３】
膜は連続フィルムを含むことができるが、必ずしもそうである必要はない。
【００３４】
膜を、流体バリア（通常防湿層）を提供するように適合させることができ、または膜に穿孔するか、あるいは膜を他の方法で流体透過性とすることができる。
【００３５】
こうした２つの膜があり、メッシュシート材の各面に１つを付与することができる。
【００３６】
２つの膜がある利点は、各膜として比較的薄いフィルムを利用することができるということである。それはまた、バリアをいずれの向きに配置することができるという意味で設置の容易さを促進することができる対称性も提供する。
【００３７】
上記膜または各膜の特性は、メッシュシート材の物理特性に従って選択される。メッシュシート材が、複合バリアが使用に対して十分に機能するために比較的高レベルの補強を必要とするようなものである場合、より強固な膜および／または２つの膜が必要である可能性がある。別法として、より稠密なメッシュを備えたより軽量の膜の当然としての使用も適用され得る。
【００３８】
２つの膜が利用される場合、それらは同じ材料であり得る。別法として、２つの膜は必ずしも同じ材料である必要はなく、または同じ物理的特性を有しており、すなわち、２つの膜に対して異なる材料を使用することができ、厚さの異なる材料を使用することも可能である。
【００３９】
上記膜、または膜のうちの一方あるいは両方（メッシュシート材の両面に膜がある場合）は、害虫の通過を防止するかまたは防止するのに役立つ役割を果たす害虫忌避剤を組み込むことができる。１つまたは複数の膜における害虫忌避剤は、近づく害虫を寄せ付けないかまたは殺す役割を果たすことができる。
【００４０】
膜を、必要な補強を提供するあらゆる適切な方法でメッシュシート材に取り付けることができる。膜を、複数の取付箇所においてメッシュに取り付けることができる。好ましくは、複数の取付箇所は、膜の平面を通して分散している。
【００４１】
膜を、超音波溶接によってメッシュに接合することができるが、当然ながら、たとえば限定されないがホットローラ積層法および接着接合を含む、さまざまな他の取付方法を使用することができる。
【００４２】
膜を、取付箇所においてメッシュに接合することができる。
【００４３】
メッシュが織メッシュを含む場合、膜はメッシュのストランドに接合される。織ストランドは、メッシュの各面におけるピークのアレイを呈している。こうした構成では、膜を、それらのピークのすべてに、または少なくとも一部に取り付けることができる。
【００４４】
膜は、補強機能を提供するのに加えて、複合害虫バリアを取り扱う人が害虫忌避剤と直接接触しないように保護する保護膜として機能することができる。したがって、保護膜は、概していかなる害虫忌避剤も含まず、または、少なくとも存在するいかなる害虫忌避剤も、取り扱う目的で安全であるとみなされるレベルである。
【００４５】
好ましくは、複合シロアリバリアは、維持することができる形態に成形されるのを容易にするように可撓性を有している。このように、複合バリアを、たとえば複合シロアリバリアを折り曲げる、屈曲させる、またはそれに折目を付けることにより、設置に必要な外形に変形させることができる。
【００４６】
複合シロアリバリアを、ロール形態での保管を容易にするように適合させることができ、そこから、一部を広げて適切な長さに切断することができる。
【００４７】
本発明の第２態様によれば、害虫が通過しないように適合されたメッシュシート材と、メッシュシート材に補強を提供するようにメッシュシート材に取り付けられた膜とを備える複合害虫バリアが提供される。
【００４８】
この構成では、膜はバリアの構造上の完全性に寄与する。
【００４９】
メッシュシート材は、能動害虫バリアを提供するように機能し、すなわち、害虫がそこを通過しないように機能する。メッシュシート材を、あらゆる適切な方法で害虫を通過させないように適合させることができる。
【００５０】
本発明の第２態様の一構成では、メッシュシート材は、駆除されるべき害虫を排除するように適合されたサイズのメッシュ開口部を有することができる。
【００５１】
本発明のこの第２態様の別の構成では、メッシュは、害虫のメッシュの通過を防止するかまたは防止に役立つような役割を果たす害虫忌避剤を組み込むことができる。害虫忌避剤は、メッシュに施される耐害虫性（ｐｅｓｔ  ｒｅｓｉｔａｎｔ）材料を含むことができる。この構成では、耐害虫性材料を、メッシュに施されるコーティングに含浸させることができる。コーティングを、あらゆる好適な方法でメッシュに施すことができる。コーティングを、たとえば、メッシュの片面にそれを積層させることにより、またはメッシュの上に塗装することにより施すことができる。メッシュが織ストランドを含む場合、コーティングをストランドに施すことができる。ストランドを、メッシュを形成するように織る前、または織った後にコーティングすることができる。コーティングはあらゆる好適な材料であり得る。コーティングは、たとえば、ポリエチレンおよびポリプロピレン等の熱可塑性材料とともにいくつかナイロンおよびポリオレフィンを含むプラスチック材料を含む。コーティングは、ポリウレタンおよびいくつかのポリエステル等のいくつかの熱硬化性プラスチック材料でもあり得る。コーティングはまた、発泡プラスチック材料を含むことも可能である。さらに、コーティングは金属コーティングを含むことができる。コーティングを粉末コーティングとして施すことができる。別法として、害虫忌避剤を、メッシュシート材自体に組み込むことができ、たとえば、害虫忌避剤は、特にメッシュシート材がプラスチック材料からなる場合、メッシュシート材に含浸された耐害虫性材料を含むことができる。耐害虫性材料を、メッシュシート材の全てまたはその一部に含浸させることができる。メッシュシート材がプラスチック材料から形成される場合、耐害虫性材料をプラスチック材料に含浸させることができる。
【００５２】
本発明の第３態様によれば、害虫バリア材料のロールであって、害虫バリア材料が、害虫が通過しないように適合されたメッシュシート材と、メッシュシート材に補強を提供するようにメッシュシート材に取り付けられた膜とを備える、ロールが提供される。
【００５３】
本発明の第４態様によれば、建築構造物に設置される害虫バリアであって、本発明の第１態様または第２態様による複合害虫バリアを含む害虫バリアが提供される。
【００５４】
好ましくは、複合シロアリバリアは建築構造物の一部に、膜と建築構造物の前記一部との間に接合を提供する接着剤によって一体的に取り付けられる。
【００５５】
接着剤は害虫忌避剤を含むことができる。
【００５６】
本発明の第５態様によれば、建築構造物に害虫バリアを設置する方法であって、害虫が通過しないように適合されたメッシュシート材とメッシュシート材に補強を提供するようにメッシュシート材に取り付けられた膜とを備える害虫バリア材料の一部を提供するステップと、膜と建築構造物の一部との間に接着接合を確立するステップとを含む方法が提供される。
【００５７】
メッシュシート材は、さらなる膜を有することができ、メッシュシート材の両面に２つの膜が付与される。２つの膜のうちの一方または両方が、バリアの構造上の完全性に寄与することができる。さらに、２つの膜のうちの一方または両方が害虫忌避剤を組み込むことができる。
【００５８】
概して、先行する実施形態による害虫バリアはシロアリバリアを含む。
【図面の簡単な説明】
【００５９】
本発明は、添付の図面に示すようにその２つの所定の実施形態の以下の説明を参照することによってより理解されよう。
【００６０】
【図１】図１は、第１実施形態による複合バリアの斜視図である。
【図２】図２は、図１に示す構成の組立分解斜視図である。
【図３】図３は、図１に示す複合シロアリバリアの端面図である。
【図４】図４は、図２に示す構成の端面図である。
【図５】図５は、第２実施形態による複合バリアの斜視図である。
【図６】図６は、図５に示す構成の組立分解斜視図である。
【図７】図７は、図５に示す複合シロアリバリアの端面図である。
【図８】図８は、図７に示す構成の組立分解斜視図である。
【図９】図９は、第２実施形態による複合バリアの一部の部分拡大断面図である。
【図１０】図１０は、第３実施形態による複合バリアの斜視図である。
【図１１】図１１は、第３実施形態による複合バリアの一部の部分拡大断面図である。
【図１２】図１２は、第４実施形態による複合バリアの斜視図である。
【図１３】図１３は、第５実施形態による複合バリアの斜視図である。
【図１４】図１４は、建築建造物に設置された第２実施形態による複合バリアの概略斜視図である。
【図１５】図１５は、建築建造物に設置された第５実施形態による複合バリアの概略側面図である。
【図１６】図１６は、図１５に示すように第５実施形態による複合バリアの設置プロセスにおけるいくつかの段階のうちの１つの概略側面図である。
【図１７】図１７は、図１５に示すように第５実施形態による複合バリアの設置プロセスにおけるいくつかの段階のうちの１つの概略側面図である。
【図１８】図１８は、図１５に示すように第５実施形態による複合バリアの設置プロセスにおけるいくつかの段階のうちの１つの概略側面図である。
【図１９】図１９は、第５実施形態による複合バリア用の代替設置プロセスのいくつかの段階のうちの１つの概略側面図である。
【図２０】図２０は、第５実施形態による複合バリア用の代替設置プロセスのいくつかの段階のうちの１つの概略側面図である。
【図２１】図２１は、第５実施形態による複合バリア用の代替設置プロセスのいくつかの段階のうちの１つの概略側面図である。
【発明を実施するための形態】
【００６１】
実施形態は、建築物および他の構造物をシロアリから保護するシロアリバリアに関する。実施形態によるシロアリバリアを、建築物および他の構造物にあらゆる適切な方法で設置することができ、そのいくつかの典型的な例は、オーストラリア特許第６３９２５６号明細書および同第６９６４３６号明細書に記載されかつ例示されている設備を含む。実施形態によるシロアリバリアを、他のさまざまな方法で配置することができ、それらはこうした設置に限定されない。
【００６２】
ここで図１〜図４を参照すると、メッシュシート１３と、メッシュシート１３の片面に接合されることによって取り付けられた膜１５とを備えた複合シロアリバリア１０が示されている。実際には、膜１５は、メッシュシート１３の片面に積層されている。概して、膜１５は、それが接合されているメッシュシート１３の面全体を覆う。本実施形態では、メッシュシート１３は、金属メッシュ、典型的にはステンレス鋼メッシュを含む。当然ながら、プラスチックメッシュを含む他の形態のメッシュを使用することができる。
【００６３】
図示する構成では、メッシュシート１３は、織ワイヤメッシュであり、協働してメッシュに開口部１９を画定するストランド１７を備えている。この構成では、織パターンにより、交差するストランドの間の接合部においてメッシュシート１３の各面にピーク２１のアレイが与えられる。
【００６４】
メッシュシート１３は、能動シロアリバリアとして機能し、すなわち、メッシュシートは、シロアリの通過を排除するように構成されている。特に、メッシュシート１３の開口部１９は、あらゆる方向の長さ寸法が、駆除されるべきシロアリの種の頭部の断面の最大長さ寸法より小さい。
【００６５】
単に例として、かつ限定なしに、メッシュは、直径が０．１８ｍｍ以下であるワイヤから織られたステンレス鋼織メッシュを含むことができる。いくつかの例では、メッシュが織られるワイヤは、０．１７ｍｍ径であり得る。ワイヤは、駆除されるべきシロアリの種の標的シロアリに対して適切なサイズのメッシュ開口部を提供するように織られている。いくつかのシロアリ種に対して、メッシュ開口サイズは約０．８ｍｍ×０．８ｍｍであり得るが、他のいくつかのシロアリ種に対して、開口サイズは約０．４５ｍｍ×０．４５ｍｍであり得る。メッシュシート材１５において、ステンレス鋼織メッシュシロアリバリアで目下使用されているものよりワイヤ径の小さいステンレス鋼ワイヤを使用することができることにより、上述したように、著しいコストの利点が得られる。
【００６６】
膜１５は、ポリエチレン等の可撓性プラスチック材料のシートを含む。添付の図面には示さないが、望ましい場合は、膜１５は穿孔を有することができ、空気および湿気が、換気および排水のためにそこを通過することができる。
【００６７】
膜１５は、メッシュに対して補強を提供するようにメッシュシート１３に取り付けられている。より詳細には、膜１５は、シートの平面における歪みに対してメッシュシート１３を補強し、それにより、変位に対して抑制することにより、それ以上駆除されるべきタイプのシロアリを排除することができないようにそれぞれのメッシュ開口部１９のサイズを増大させる程度まで、隣接するワイヤストランド１７が横方向にシフトするのを防止する。
【００６８】
本実施形態では、膜は、メッシュシートの隣接する面のそれぞれのピーク２１ａに接して位置し、かつ取り付けられる。
【００６９】
膜１５は、超音波溶接によってメッシュシートストランドに接合される。当然ながら、限定されないがホットローラ積層法および接着接合を含む、他の取付方法を使用することができる。
【００７０】
膜１５を、識別の目的で着色することができる。
【００７１】
膜１５は、防水バリアとして機能することも可能である。
【００７２】
膜は、目的に適しているように選択された厚さである。概して、膜は、約４０ミクロンと５００ミクロンとの間の範囲の厚さである。膜は、防水バリアとして機能する必要がある場合、５００ミクロンを超える厚さであり得る。オーストラリア特許第６３９２５６号明細書および同第６９６４３６号明細書に記載されかつ例示されている上述した設備における記載されかつ例示されている従来技術によるシロアリバリアでは、シロアリバリア材料は、使用環境における破損に対して耐性があり、かつシロアリ分泌物に対して実質的に耐性がある材料のメッシュシートを含み、硬さが約ショアＤ７０以上であり、前記メッシュの細孔は、あらゆる方向の長さ寸法が、駆除されるべきシロアリの種の頭部の断面の最大長さ寸法未満である。
【００７３】
本実施形態では、メッシュシート１３として、比較的頑強ではないメッシュ材料を利用することができる。特に、組み込まれるステンレス鋼材料の量が低減したメッシュ材料を使用することができ、それにより、メッシュのコストの著しい節減が可能になる。ステンレス鋼の量の低減を、より径の小さいストランドを有するメッシュ材料の選択、またはストランド間の間隔の増大、または径の小さいストランドとストランド間の間隔の増大との両方によって達成することができる。本実施形態では、ワイヤストランド１９は、直径が０．１８ｍｍ以下であり、間隔が０．８以下であり得る。こうした寸法は指示的なものであり、単に例示の目的で与えられており、限定するように意図されていない。メッシュの材料の量を低減するという目的に沿って、本発明の実施に対して他のさまざまなメッシュ寸法を採用することができる。これは、著しい効率の向上を可能にするとともに、メッシュが駆除されるべきタイプのシロアリを排除するのに十分な、メッシュ細孔サイズを提供することも期待される。
【００７４】
こうした比較的頑強でないメッシュを使用することにより、構造上の安定性に関して粗悪なメッシュとなり、すなわち、メッシュは、分離されている時、「だらりと垂れる」か、または「スリージィネス」がある可能性がある。したがって、メッシュは、取扱いおよび設置に対して構造上の剛性が不十分である可能性がある。これは、メッシュを支持し、複合シロアリバリア１０に対してその意図された目的に対して十分な構造上の剛性を与えるように作用する、膜１５の存在によって対処され、それにより、シロアリ移動に対してバリアを提供するのにそれ以上有効でないようにメッシュ開口部がサイズまたは形態を変化させる程度まで、メッシュが歪むのが回避される。
【００７５】
メッシュシート１３が、駆除されているシロアリが通過しないように十分小さいサイズの開口部１９を有することは必須ではない。言い換えれば、メッシュシート１３は、必ずしもそれ自体で物理的なバリアを提供する必要はない。メッシュシート１３は、シロアリのメッシュの通過を防止するかまたは防止に役立つような役割を果たすシロアリ忌避剤（シロアリ防除剤または他の忌避剤）を組み込むことができる。忌避剤の効果は、メッシュシート１３に近づくシロアリを寄せつけないか、または別法としてメッシュシート１３に接触するシロアリを殺すことによって得られる。このように、メッシュシート１３は、依然として能動バリアの機能を行うが、物理化学的バリアで見られるようにその機能を行うために物理的特性とともに化学的特性を含む。
【００７６】
メッシュシート１３は、シートの平面からの選択的な変形を容易にするように可撓性を有しているが、変形状態を維持するのに十分な剛性を有している。このように、複合バリア１０を、設置に必要な外形に、たとえば複合シロアリバリアを折り曲げるか、屈曲させるか、またはそれに折目をつけることによって形作ることができる。
【００７７】
複合シロアリバリア１０を、ロール形態で保管することができ、それにより、一部を広げて適切な長さに切断することができる。
【００７８】
より小さい径のストランドを有するメッシュ材料の使用および／またはストランド間の間隔の増大により、より長いロールを製造することができる。これにより、１つのロールのみを使用して住宅等の典型的な建築構造物へのシロアリバリア設置の完了を容易にすることができ、使い切ったロールに新たなロールをつなぎ合わせる必要をなくすとともに、ロール搬送および取扱いにおけるコスト削減が可能になる。
【００７９】
より小さい径のストランドを有するメッシュ材料の使用および／またはストランド間の間隔の増大により、単位面積当たりの質量が小さい製品も提供され、それにより搬送におけるコスト削減が可能になる。
【００８０】
メッシュシート１３に対して支持を提供することに加えて、膜１５は、保護膜として機能することができる。特に、膜１５により、複合害虫バリア１０を取り扱う人が、メッシュシート１３に組み込まれたあらゆるシロアリ忌避剤との接触を回避することができる。保護膜は、複合害虫バリアを取り扱う人が害虫忌避剤と直接接触しないように保護する役割を果たし、したがって、概して、いかなる害虫忌避剤も組み込まず、または、少なくとも存在するいかなる害虫忌避剤も、取り扱う目的に対して安全であるとみなされるレベルである。
【００８１】
膜１５は、接着剤をあらゆる適切な方法で供給しかつ塗布することができる接着剤システムの使用を容易にするという特定の利点を与える。一構成では、接着剤を、アプリケータガンを使用してカートリッジから供給し塗布することができ、すなわち、接着剤は、いわゆるコーキングガンで塗布可能な（ｇｕｎｎａｂｌｅ）接着剤を含むことができる。別の構成では、接着剤を、噴霧としてバルク供給源から供給し塗布することができる。いずれの場合も、膜の存在により、有効であり、かつ主に塗布が容易であるために使用に好都合である目下一般に入手可能な、接着剤の使用が容易になる。こうした接着剤としては、ＰＶＣ、ポリウレタン及びアクリル樹脂系の接着剤を含む、溶剤系ポリマー接着剤が挙げられる。こうした接着剤は、特に噴霧接着剤の形態である時に、特に使用に好都合である。水性噴霧接着剤もまた好適であり得る。
【００８２】
従来技術では、（たとえば、オーストラリア特許第６３９２５６号明細書および同第６９６４３６号明細書に記載されかつ例示されている上述した設備で使用されるような）ステンレス鋼メッシュを使用するシロアリバリアでは、シロアリバリアを確立するようにメッシュを建築構造物の一部に一体的に固定するために、「漆喰」として知られる所定の接着組成物を使用する必要がある。目下入手可能でありかついくつかのシロアリバリアで使用するのに適切な目下入手可能な接着剤の使用により、使用を容易にすることはできず、それは、こうした接着剤の多くが、ステンレス鋼メッシュの接合に限られているためである。
【００８３】
これは、本実施形態では、シロアリバリアで使用するのに適している入手可能な接着剤をともに使用することができる、膜１５の存在によって対処される。このように、複合シロアリバリア１０を、膜１５を介して建築構造物の一部に接着固定することができる。
【００８４】
望ましい場合は、接着剤は、シロアリ防除剤等のシロアリ忌避剤を組み込むことができる。
【００８５】
ここで図５〜図９を参照すると、第２実施形態による複合シロアリバリア１０が示されている。第２実施形態によるシロアリバリアは第１実施形態に類似しているが、メッシュシート１３の他方の面にさらなる膜２５が取り付けられている。本実施形態では、さらなる膜２５は膜１５と同じ材料であるが、他の実施形態では、異なる材料および異なる厚さであり得る。
【００８６】
膜２５は、膜１５と同様にメッシュに補強を提供するように、メッシュシート１３に取り付けられる。本実施形態では、膜２５は、メッシュシートの隣接する面のそれぞれのストランドに接して位置し、かつそれに取り付けられる。
【００８７】
２つの膜１５、２５を有する利点は、各膜として比較的薄いフィルムを利用することができるということである。さらに、２つの膜１５、２５が存在することにより、メッシュシート１３に対して、さらなる構造上の支持と、バリアをいずれの向きにも配置することができるという意味で設置を容易にする対称性とが与えられる。これにより、第１実施形態よりさらに頑強でないメッシュ材料の使用を可能とすることができる。
【００８８】
本実施形態では、図９にもっともよく示すように、２つの膜１５、２５は、それらが付与されるメッシュシート１３のそれぞれの面の輪郭に従い、接触するほど延在することなくメッシュ開口部１９内に部分的に延在している。
【００８９】
ここで図１０および図１１を参照すると、第３実施形態による複合シロアリバリア１０が示されている。第３実施形態によるシロアリバリアは第２実施形態に類似しているが、図１１にもっともよく示すように、２つの膜１５、２５は、メッシュ開口部内で互いに接触するようにメッシュ開口部１９内に十分に延在している。この構成では、膜１５、２５は、実際には、織メッシュを封入し、織メッシュに対する保護の強化等、いくつかの利点を可能にすることができる。
【００９０】
ここで図１２を参照すると、第４実施形態による複合シロアリバリア１０が示されている。第４実施形態によるシロアリバリアは、メッシュシート１３の両面に膜１５、２５があるという点で第２実施形態および第３実施形態に類似している。本実施形態では、膜１５、２５は、メッシュシート１３の少なくとも片面においてメッシュシート１３を超えて拡張し、拡張部分１５ａ、２５ａは合わせて接合されて織端２７を提供する。
【００９１】
ここで図１３を参照すると、第５実施形態による複合シロアリバリア１０が示されている。第５実施形態によるシロアリバリアは、メッシュシート１３の両面に膜１５、２５があるという点で、第２実施形態、第３実施形態および第４実施形態に類似している。この第５実施形態では、膜１５、２５は、メッシュシート１３の２つの対向する縁２９の内側に配置されている。このように、第５実施形態による複合シロアリバリア１０は、中心部分３１および２つの側方部分３３を備え、中心部分はメッシュ材料および膜材料の組合せを含み、各側方部分３３はメッシュのみを含む。したがって、側方部分は、中心膜の両側にメッシュの２つの長手方向バンドを提供する。概して、長手方向バンドは、各々幅が約１００ｍｍであるが、他の幅を使用することも可能である。
【００９２】
この配置は、複合バリアを隣接する構造体に、その構造体に埋め込むことによって一体的に固定することができるか、またはメッシュ材料と適合性のある接着剤を使用して隣接する面に接合することができる環境において、有利であり得る。こうした接着剤は、メッシュ材料を表面に接着接合することによりそれらの間にシロアリを通ささない接続を可能にするように使用するのに好適な、漆喰として知られる接着剤を含む、セメント系接着剤を含むことができる。
【００９３】
この構成の変形では、２つの膜１５、２５は、片面のみにメッシュのバンドを設けるように、メッシュシート１３の片面にずれていることも可能である。
【００９４】
さらに別の変形では、メッシュシートの片面のみに膜があり得る。
【００９５】
ここで図１４を参照すると、建築構造物５０に設置されたシロアリバリア４０が示されている。シロアリバリア４０は、第２実施形態による複合シロアリバリア１０のストリップ４１を備えている。ストリップ４１は、その両面に、第１長手方向部分４３および第２長手方向部分４４を備えている。
【００９６】
建築構造物５０は、地表面またはその近くにコンクリートスラブ５１を備えている。コンクリートスラブ５１は、外壁５５および内壁５７を有しその間に壁空洞５９がある壁建造物５３を支持している。
【００９７】
スラブ５１は、ボックススラブとして構成され、一体的なフーチング６１を組み込んでいる。スラブ５１の側面に溝（ｒｅｂａｔｅ）６３が組み込まれて、外壁５５に対してフーチング６５を提供する。内壁５７は、溝６３にすぐ隣接しているスラブ５１の上面６６で支持されている。溝６３は、空洞５９に直面する側面６７を呈している。
【００９８】
図示する構成では、外壁５５はれんが構造であり、間にモルタルがあって既知の方法で組み立てられた、れんが７１の複数の段を備え、内壁５７は、既知の種類の枠構造である。
【００９９】
複合シロアリバリアのストリップ４１は、地表面より上方の位置の外壁５５と溝６３の側面６７との間に一体的に固定されて、建築構造物５０内にシロアリが入らないようにするバリアを提供する。
【０１００】
ストリップ４１の第１長手方向部分４３は、溝６３の側面６７に、接着剤７７によって接着接合されることによって一体的に固定される。メッシュシート１３の両面に膜１５、２５があることにより、シロアリバリアで使用するのに適した一般に入手可能な接着剤の使用が可能になる。接着剤７７を、ストリップ４１の第１長手方向部分４３と溝６３の側面６７との間に、表面が合わさってそれらの間に接着接合をもたらす前に、表面の一方または両方のいずれかに対する噴霧塗布による等、あらゆる好適な方法で塗布することができる。接着接合が有効になる時点まで、ストリップ４１の第１長手方向部分４３を溝６３の側面６７の適所に維持するために、ストリップの長さに沿った間隔での釘留め等、補助的な固定システム（図示せず）を提供することができる。
【０１０１】
第２長手方向部分４４は、れんが７１の２つの段の間に位置付けられることによって、外壁５５に一体的に固定される。
【０１０２】
図示する構成における壁構造物５３はまた、防湿層８０も含む。
【０１０３】
ここで図１５を参照すると、建築構造物５０に設置されたシロアリバリア９０の別の形態が示されている。シロアリバリア９０は、第５実施形態による複合シロアリバリア１０のストリップ９１を備えている。ストリップ９１は、その両面に第１長手方向部分９３および第２長手方向部分９４を備えている。上述したように、第５実施形態による複合シロアリバリア１０は、中心部分３１および２つの側方部分３３を備え、中心部分３１はメッシュ材料および膜材料の組合せを含み、各側方部分３３はメッシュのみを含む。この構成では、一方の側方部分３３が第１長手方向部分９３を画定し、他方の側方部分３３が第２長手方向部分９４を画定している。
【０１０４】
ストリップ９１の第１長手方向部分９３は、溝６３の側面６７に、接着剤９７によって接着接合されることによって一体的に固定される。第１長手方向部分９３はメッシュのみを含むため、接着剤９７はメッシュ材料と適合性のある接着剤を含む。こうした接着剤は、メッシュ材料を表面に接着接合することによりそれらの間にシロアリを通さない接続を可能にするように使用されるのに好適な、漆喰として知られる接着剤を含む、セメント系接着剤を含むことができる。この構成では、接着剤はメッシュ開口部１９に浸透することができるため、メッシュと側面６７との間に優れた接合を達成することができる。
【０１０５】
第２長手方向部分９４は、外壁５５に、れんが７１の２つの段の間のモルタルベッドに位置決めされることにより外壁５５に一体的に固定される。この構成では、２段のれんがの間のモルタルがメッシュ開口部に浸透することができるため、メッシュと外壁５５との間に優れた接合を達成することができる。
【０１０６】
シロアリバリア９０では、図面に示すように、中心部分３１は壁空洞５９を横切って延在する。
【０１０７】
図１６、図１７および図１８において、シロアリバリア９０の設置におけるいくつかの段階が示されている。
【０１０８】
ここで図１９、図２０および図２１を参照すると、シロアリバリア１００の設置におけるいくつかの段階が示されている。シロアリバリア１００は、複合シロアリバリア１０を備えたストリップ１０１を備え、複合シロアリバリア１０は、スラブ５１の上面６６に、接着剤９７によって接着接合されることにより一体的に固定された第１長手方向部分１０３と、れんが７１の２つの段の間に位置決めされることにより外壁５５に一体的に固定された第２長手方向部分１０４とを有している。図示する構成では、外壁５５は、スラブ５１とは別個に形成されたフーチング６５に支持されている。
【０１０９】
図１４〜図２１に示す構成は、単に、実施形態による複合バリア１０を設置することができるいくつかの方法を示す。実施形態による複合バリア１０を、シロアリバリアを提供するように種々の他の方法で設置することができ、複合バリア１０は、示した設置構成に限定されないことが理解されるべきである。
【０１１０】
説明した実施形態では、メッシュシート１３はステンレス鋼ワイヤメッシュを含む。本発明は、ステンレス鋼ワイヤメッシュの使用に限定されないことが理解されるべきである。他の金属ワイヤメッシュであって、それ自体が効率の向上を可能にすることができる金属ワイヤメッシュを使用することができる。同様に、ワイヤメッシュは金属である必要はない。メッシュは、たとえば適切なプラスチック材料を含むことができる。
【０１１１】
メッシュは、上述したように、シロアリ防除剤を組み込むことも可能である。
【０１１２】
上述したことから、実施形態は、各々、メッシュ構造体および支持膜を含む複合シロアリバリアを提供し、上述した従来技術による構成で可能であるより、メッシュ構造体に使用する材料が低減することによるか、または別法としてより低コストのメッシュ材料を使用することにより、効率の向上を可能にする。
【０１１３】
明細書および特許請求の範囲を通して、文脈上他の意味であることが必要でない限り、「備える、具備する（ｃｏｍｐｒｉｓｅ）という語または「備える、具備する（ｃｏｍｐｒｉｓｅｓ）」または「備えている、具備している（ｃｏｍｐｒｉｓｉｎｇ）」等の変形は、述べられている完全体または完全体群を含むことを意味するが、他のあらゆる完全体または完全体群を排除することを意味するものではないことが理解されよう。
【図１】
2013541651.tif 000003
【図２】
2013541651.tif 000004
【図３】
2013541651.tif 000005
【図４】
2013541651.tif 000006
【図５】
2013541651.tif 000007
【図６】
2013541651.tif 000008
【図７】
2013541651.tif 000009
【図８】
2013541651.tif 000010
【図９】
2013541651.tif 000011
【図１０】
2013541651.tif 000012
【図１１】
2013541651.tif 000013
【図１２】
2013541651.tif 000014
【図１３】
2013541651.tif 000015
【図１４】
2013541651.tif 000016
【図１５】
2013541651.tif 000017
【図１６】
2013541651.tif 000018
【図１７】
2013541651.tif 000019
【図１８】
2013541651.tif 000020
【図１９】
2013541651.tif 000021
【図２０】
2013541651.tif 000022
【図２１】
2013541651.tif 000023
【国際調査報告】
2013541651.tif 000024
2013541651.tif 000025
2013541651.tif 000026